(57)【要約】  両親媒性物質を有する濃縮香料組成物は、香料を濃縮布地柔軟仕上げ剤組成物に配合するのに有用である。【特許請求の範囲】
【請求項１】
芳香布地柔軟仕上げ剤組成物を製造する方法であって、
（ｉ）脂肪酸部分の平均鎖長が１６〜２０炭素原子であり、遊離脂肪酸について計算されるヨウ素価（ＩＶ）が１５〜２５であるビス−（２−ヒドロキシエチル）−ジメチルアンモニウムクロリド脂肪酸エステルを布地柔軟仕上げ剤活性物質組成物に対して１０重量％〜２０重量％を含む布地柔軟仕上げ剤活性物質組成物を提供する工程と、
（ｉｉ）香料組成物に対して１．０重量％〜２．５重量％の香料成分を含む純香料組成物を提供する工程と、
（ｉｉｉ）両親媒性物質と前記純香料組成物とを混合して、両親媒性物質／香料混合物を得る工程であって、前記両親媒性物質が、式（Ｉ）：
【化１】
2013524035.tif 000005
（式中、
Ｒ１は、分岐又は非分岐Ｃ６〜Ｃ２２アルキルであり、
Ｒ２は、不存在、水素、メチル、又は−（ＣＨ２ＣＨ２０）ｙ（式中、ｙは２〜２０である）であり、
ｘは、２〜２０であり、
Ｚは、アニオン性対イオンである）
の化合物を含む工程と、
（ｉｖ）前記両親媒性物質／香料混合物を前記布地柔軟仕上げ剤活性物質組成物に添加して、芳香布地柔軟仕上げ剤組成物を製造する工程と、
を含む、方法。
【請求項２】
前記両親媒性物質と前記純香料組成物との混合がタンク内で行われる、請求項１に記載の方法。
【請求項３】
前記両親媒性物質と前記純香料組成物との混合がインラインで行われ、好ましくは、前記両親媒性物質と前記純香料組成物とのインライン混合が静的ミキサを用いる静的混合を含む、請求項１に記載の方法。
【請求項４】
前記布地柔軟仕上げ剤活性物質組成物が、純香料を実質的に含まず、前記芳香布地柔軟仕上げ剤組成物が、前記芳香布地柔軟仕上げ剤組成物に対して少なくとも１．０重量％の遊離香料を含み、好ましくは、前記純香料組成物が１〜９の複合誘電率を有し、より好ましくは、前記純香料組成物が香料成分を含み、前記純香料組成物に対して少なくとも５０重量％の香料成分が２．５超のＬｏｇＰを有する、請求項３に記載の方法。
【請求項５】
前記両親媒性物質のＲ２が水素である、請求項４に記載の方法。
【請求項６】
前記両親媒性物質／香料混合物が、５％〜７０％の両親媒性物質を含み、好ましくは、前記芳香組成物が、３０％〜９５％の両親媒性物質を含む、請求項５に記載の方法。
【請求項７】
芳香布地柔軟仕上げ剤組成物を製造する方法であって、
（ｉ）脂肪酸部分の平均鎖長が１６〜２０炭素原子であり、遊離脂肪酸について計算されるヨウ素価（ＩＶ）が１５〜２５であるビス−（２−ヒドロキシエチル）−ジメチルアンモニウムクロリド脂肪酸エステルを布地柔軟仕上げ剤活性物質組成物に対して１０重量％〜２０重量％含む布地柔軟仕上げ剤活性物質組成物を提供する工程と、
（ｉｉ）両親媒性物質／香料混合物を提供する工程であって、
前記両親媒性物質／香料混合物の両親媒性物質が式（Ｉ）：
【化２】
2013524035.tif 000006
（式中、
Ｒ１は、分岐又は非分岐Ｃ６〜Ｃ２２アルキルであり、好ましくは、Ｒ１は、直鎖Ｃ６〜Ｃ２２アルキル基であり、
Ｒ２は、不存在、水素、メチル、又は−（ＣＨ２ＣＨ２０）ｙ（式中、ｙは２〜２０である）であり、好ましくは、Ｒ２は、水素であり、
ｘは、２〜２０であり、
Ｚは、アニオン性対イオンである）
の化合物を含む工程と、
（ｉｉｉ）前記両親媒性物質／香料混合物を前記布地柔軟仕上げ剤活性物質組成物に添加して、芳香布地柔軟仕上げ組成物を製造する工程と、
を含む、方法。
【請求項８】
前記布地柔軟仕上げ剤活性物質組成物が、純香料を実質的に含まず、前記芳香布地柔軟仕上げ剤組成物が、前記芳香布地柔軟仕上げ組成物に対して少なくとも１．０重量％の遊離香料を含み、好ましくは、前記芳香布地柔軟仕上げ剤組成物が、０．１０％〜２．０％の両親媒性物質を含む、請求項７に記載の方法。
【請求項９】
前記芳香布地柔軟仕上げ剤組成物が、前記芳香布地柔軟仕上げ剤組成物に対して、（ａ）０．１重量％〜０．５重量％の両親媒性物質と、（ｂ）１．０重量％〜２重量％の遊離香料と、を含む、請求項８に記載の方法。
【請求項１０】
前記純香料組成物が香料成分を含み、前記純香料組成物に対して少なくとも６０重量％の香料成分が、２．５超のＬｏｇＰを有し、好ましくは、前記純香料組成物が、１〜７の複合誘電率を有する、請求項９に記載の方法。
【請求項１１】
前記両親媒性物質／香料混合物が、５重量％〜７０重量％の両親媒性物質を含み、ビス−（２−ヒドロキシエチル）−ジメチルアンモニウムクロリド脂肪酸エステルが１８〜２２のＩＶを有する、請求項１０に記載の方法。
【請求項１２】
静的ミキサを用いて、前記両親媒性物質／香料混合物を前記布地柔軟仕上げ剤活性物質組成物に静的混合する工程を更に含む、請求項１１に記載の方法。
【発明の詳細な説明】
【技術分野】
【０００１】
本発明は、芳香柔軟仕上げ剤組成物の製造方法に関する。
【背景技術】
【０００２】
分散層状相を含む液体柔軟仕上げ剤組成物は、典型的に、香料油と混和しない。この問題は、高濃度の布地柔軟仕上げ剤活性物質（すなわち、１０重量％以上）及び高濃度の香料（すなわち、１０重量％以上）を含有する濃縮又は圧縮製剤において深刻である。この問題は、布地柔軟仕上げ剤活性物質が比較的ヨウ素価の低い（例えば、１８〜２２）エステル第四級アンモニウム化合物である場合、更によりる。しかし、柔軟仕上げ剤組成物に香り付けすることは、確実に消費者に広く受け入れられるために必須である。洗浄過程から最終的に布地を乾燥させるまで心地よい香りを供給する、製品の香りが心地よく、品の良い柔軟仕上げ剤組成物が、無香布地ケア製品よりも消費者にとって更により望ましい。製剤を単純化し、それによって製造及び製剤化のコストを最低限に抑えつつ、これら問題を解決することが必要とされている。長時間安定な製品を製造しつつ、これら問題を解決することが必要とされている。例えば、米国特許第７，４０５，１８７号を参照のこと。
【先行技術文献】
【特許文献】
【０００３】
【特許文献１】米国特許第７，４０５，１８７号
【発明の概要】
【課題を解決するための手段】
【０００４】
本発明は、本発明の１つの態様においては、布地柔軟仕上げ剤活性物質組成物に対して１０重量％〜２０重量％を含む布地柔軟仕上げ剤活性物質組成物を提供する工程と、香料組成物に対して１．０重量％〜２．５重量％の香料成分を含む香料組成物を提供する工程と、両親媒性物質と純香料組成物とを混合して、両親媒性物質／香料混合物を得る工程と、前記両親媒性物質／香料混合物を前記布地柔軟仕上げ剤活性物質組成物に添加して、芳香柔軟仕上げ剤組成物を製造する工程と、を含む芳香柔軟仕上げ剤組成物を製造する方法を使用することによりこれら必要性のうちの１以上を達成することを試みる。
【０００５】
本発明の別の態様は、布地柔軟仕上げ剤活性物質組成物に対して１０重量％〜２０重量％を含む布地柔軟仕上げ剤活性物質組成物を提供する工程と、両親媒性物質／香料混合物を提供する工程であって、前記両親媒性物質／香料混合物が２５重量％〜９５重量％の香料成分を含む工程と、前記両親媒性物質／香料混合物を前記布地柔軟仕上げ剤活性物質組成物に添加して、芳香柔軟仕上げ剤組成物を製造する工程と、を含む芳香柔軟仕上げ剤組成物を製造する方法を提供する。
【発明を実施するための形態】
【０００６】
布地柔軟仕上げ剤活性物質組成物
本発明の第１の態様は、組成物に対して１０重量％〜２０重量％、あるいは１０重量％〜１５重量％、あるいは１５重量％〜２０重量％、あるいは１６重量％〜１８重量％、あるいはこれらの組合せの布地を柔軟化するのに好適なエステル第四級アンモニウム化合物を含む布地柔軟仕上げ剤活性物質組成物を提供することを含む。エステル第四級アンモニウム化合物の例としては、脂肪酸部分の平均鎖長が１６〜２０炭素原子、好ましくは１６〜１８炭素原子であり、遊離脂肪酸について計算されるヨウ素価（ＩＶ）が１５〜２５、あるいは１８〜２２、あるいは約１９〜約２１、あるいはこれらの組合せであるビス−（２−ヒドロキシエチル）−ジメチルアンモニウムクロリド脂肪酸エステルが挙げられる。ヨウ素価は、１００ｇの脂肪酸の二重結合と反応することにより消費されるヨウ素の量（グラム）であり、ＩＳＯ  ３９６１の方法により測定される。
【０００７】
１つの実施形態では、布地柔軟仕上げ剤活性物質組成物のｐＨは２〜４、あるいは２．５〜３．５である。ｐＨは、塩酸又はギ酸を使用することにより調整することができる。
【０００８】
別の実施形態では、布地柔軟仕上げ剤活性物質組成物は、純香料を含まないか又は実質的に含まない。
【０００９】
香料
本発明の別の態様は、純香料組成物、好ましくは濃縮純香料組成物を提供する。本明細書で使用するとき、用語「香料」は、天然の（すなわち、草花、草本、葉、根、樹皮、木本、花、又は植物の抽出により得られる）、人工の（すなわち、様々な天然油又は油成分の混合物）、及び合成の（すなわち、合成により製造される）発香性物質を含む、芳香性物質又は物質の混合物を含む。このような材料は、固定剤、増量剤、安定剤、及び溶剤等の補助材料を伴うことが多い。これら補助材料は、本明細書で使用する「香料」の意味には含まれない。典型的に、香料は、複数の有機化合物の複雑な混合物である。
【００１０】
本発明の組成物は、純香料及び／又は製品が商店の棚にあるときから作用サイクル全体にわたって望ましい香り体験を得るために組合せることができる香料技術系を含んでもよい。好適な香料としては、長続きのする香料及び／又はｑｕａｄｒａｎｔ香料が挙げられる。このような純香料の例は、米国特許第５，５００，１３８号、同第５，５００，１５４号、同第６，４９１，７２８号、同第５，５００，１３７号及び同第５，７８０，４０４号に開示されている。好適な香料送達系、特定の香料送達系の製造方法、及びこのような香料送達系の使用は、米国特許出願第２００７／０２７５８６６（Ａ１）号に開示されている。
【００１１】
香料は、典型的に、極性油と無極性油との混合物である。油を含む組成物は、これら油の一部が極性である場合でさえも、布地柔軟仕上げ組成物等の水連続組成物に容易には分散しない。理論に束縛されるものではないが、香料は、分散層状相に香料が吸着され得るように布地柔軟仕上げ組成物の連続水相において細かく細分されなければならない。水連続組成物における香料油の分散性に関する１つの一般的に可述的な尺度としては、香料の誘電率を挙げることができる。誘電率の低い香料、すなわち極性の低い香料は、分散層状相を含む布地柔軟仕上げ剤組成物に配合することが困難である可能性が高く、その理由は、このような香料は水性環境においてより凝集しやすく、したがってこの環境において細分するにはより大きな機械的エネルギーを必要とするためである。
【００１２】
１つの実施形態では、本発明の香料組成物は、約１２又は１１又は１０又は９又は８又は６又は５又は４未満、あるいは約１超の複合誘電率を有し得る。誘電率は、Ｓｃｉｅｎｔｉｆｉｃａ製の誘電率測定器８７０型により測定することができる。
【００１３】
水連続組成物における香料の分散性に関する別の一般的に可述的な尺度としては、水とオクタノールとの間の香料成分の分配係数である香料成分のＬｏｇＰを挙げることができる。香料成分のＬｏｇＰを測定する１つの方法は、ＢｉｏＢｙｔｅ  Ｃｏｒｐ製の「ＣｌｏｇＰ」プログラムを用いる（例えば、ＣｌｏｇＰバージョン４．０及びＭａｎｕａｌ  １９９９）。ＣＬＯＧＰユーザーガイド、バージョン４．０、ＢｉｏＢｙｔｅ  Ｃｏｒｐ、（１９９９）（ｈｔｔｐ：／／ｗｗｗ．ｂｉｏｂｙｔｅ．ｃｏｍ／ｂｂ／ｐｒｏｄ／ｃｌｏｇｐ４０．ｈｔｍｌ）を参考として本明細書に組み込む。ＬｏｇＰを測定する別の好適な方法は、Ａｌｉｓｏ  Ｖｉｅｊｏ，ＣＡのＤａｙｌｉｇｈｔ  Ｃｈｅｍｉｃａｌ  Ｉｎｆｏｒｍａｔｉｏｎ  Ｓｙｓｔｅｍｓ，Ｉｎｃ．製のＣＬＯＧＰプログラムを用いる。ＣＬＯＧＰ  レファレンスマニュアル、Ｄａｙｌｉｇｈｔバージョン４．９、２００８年２月１日発行（ｈｔｔｐ：／／ｗｗｗ．ｄａｙｌｉｇｈｔ．ｃｏｍ／ｄａｙｈｔｍｌ／ｄｏｃ／ｃｌｏｇｐ／ｉｎｄｅｘ．ｈｔｍｌ）を参考として本明細書に組み込む。理論に束縛されるものではないが、香料成分のＬｏｇＰが高いほど、成分の疎水性が高く、布地柔軟仕上げ剤組成物に香料成分を配合することがより困難になる、例えば、より多くの機械的エネルギーが必要となる。香料を含む香料成分の非限定的なセットは、米国特許第５，５００，１３８号の７列４２行〜１１列４４行に開示されている。また、例えば、米国特許第５，６５２，２０５号に記載されている通り、放出可能な芳香剤として、例えばプロ香料又はプロ芳香剤として香料成分を好適に添加することができる。
【００１４】
１つの実施形態では、香料組成物に対して２５重量％超の香料成分が、２．５超のＬｏｇＰを有する。別の実施形態では、香料組成物に対して３５重量％超、又は４５重量％超、又は５０重量％超、又は６０重量％超、又は７０重量％超、又は７５重量％超の香料成分が、２．５超のＬｏｇＰを有する。
【００１５】
別の実施形態では、香料は、少なくとも１、又は２、又は３、又は４、又は５、又は６、又は７、又は８、又は９、又は１０、又は１１、又は１２、あるいは約１００以下の異なる個々の香料成分を含み得る。
【００１６】
本発明の更に別の態様は、低濃度の水を含む濃縮香料組成物を提供する。１つの実施形態では、濃縮香料組成物中の水濃度は、濃縮香料組成物に対して１０重量％、又は９重量％、又は８重量％、又は７重量％、又は６重量％、又は５重量％、又は４重量％、又は３重量％、又は２重量％、又は１重量％、又は０．５重量％未満、あるいは０．５重量％超の水を含む、あるいは実質的に水を含まない、あるいはこれらの組合せである。本発明の濃縮香料組成物中に水が存在する場合、多くの場合、均質な濃縮香料組成物を維持するために混合が必要である。
【００１７】
上述の香料成分に好適な溶剤、希釈剤、又はキャリアは、例えば、エタノール、イソプロパノール、ジエチレングリコール、モノエチルエーテル、ジプロピレングリコール、フタル酸ジエチル、クエン酸トリエチル等である。香料に配合されるこのような溶剤、希釈剤、又はキャリアの量は、均質な香料溶液を提供するのに必要な最小値を維持することが好ましい。１つの実施形態では、溶剤、希釈剤、又はキャリアの濃度は、濃縮香料組成物に対して１０重量％、又は９重量％、又は８重量％、又は７重量％、又は６重量％、又は５重量％、又は４重量％、又は３重量％、又は２重量％、又は１重量％、又は０．５重量％、又は０．１重量％未満、あるいは０．０１重量％超、あるいはこれらの組合せである。１つの実施形態では、濃縮香料組成物は、任意の溶剤、希釈剤、又はキャリアを含まないか又は実質的に含まない。
【００１８】
１つの実施形態では、濃縮香料組成物は、濃縮香料組成物に対して２５重量％〜９５重量％、あるいは２０重量％〜１００重量％、あるいは６５重量％〜９５重量％、あるいは５０重量％〜１００重量％の香料成分を含む。
【００１９】
両親媒性物質
本発明の別の態様は、両親媒性物質を提供する。両親媒性物質は、式（Ｉ）に従う：
【化１】
2013524035.tif 000002
式中、Ｒ１は、分岐又は非分岐Ｃ６〜Ｃ２２アルキル、あるいは分岐又は非分岐Ｃ１２〜Ｃ１８アルキルである。Ｒ２は、不存在、メチル又は−（ＣＨ２ＣＨ２０）ｙ（式中、ｙは２〜２０である）である。Ｒ２が存在しない場合、窒素がプロトン化される。また、ｘは２〜２０である。Ｚは、好適なアニオン性対イオンであり、好ましくは、塩化物、臭化物、メチル硫酸、エチル硫酸、硫酸、及び硝酸、より好ましくは、塩化物又は硫酸メチルからなる群より選択される。
【００２０】
１つの実施形態では、両親媒性物質は、式（ＩＩ）に従う：
【化２】
2013524035.tif 000003
式中、ｘは２〜２０であり、Ｒ１は、分岐又は非分岐Ｃ６〜Ｃ２２アルキル、好ましくは分岐又は非分岐Ｃ１２〜Ｃ１８アルキルである。Ｚは、好適なアニオン性対イオンであり、好ましくは、塩化物、臭化物、メチル硫酸、エチル硫酸、硫酸、及び硝酸からなる群より選択され、より好ましくは、塩化物又は硫酸メチルである。このような材料の例は、例えば、Ａｋｚｏ  Ｎｏｂｅｌから商品名Ｂｅｒｏｌ  Ｒ６４８として販売されているアルキルポリグリコールエーテルアンモニウムメチルクロリドである。
【００２１】
別の実施形態では、界面活性剤は、式（ＩＩＩ）に従う：
【化３】
2013524035.tif 000004
式中、ｘ及びｙは、それぞれ独立して２〜２０から選択され、Ｒ１は、分岐又は非分岐、好ましくは非分岐のＣ６〜Ｃ２２アルキルである。１つの実施形態では、Ｘ＋Ｙは、２〜４０、好ましくは１０〜２０である。Ｚは、好適なアニオン性対イオン、好ましくは塩化物又は硫酸メチルである。このような材料の例は、例えば、Ａｋｚｏ  Ｎｏｂｅｌから商品名ＥＴＨＯＱＵＡＤ  Ｃ  ２５として販売されているココアルキルメチルエトキシ化アンモニウムクロリドである。
【００２２】
本発明の別の態様は、１以上の布地柔軟仕上げ剤活性物質を含む組成物に本発明の濃縮香料組成物を添加する工程を含み、好ましくは前記布地柔軟仕上げ剤活性物質を含む組成物が香料を含まないか又は実質的に含まない、芳香布地ケア組成物を製造する方法を提供する。
【００２３】
濃縮香料組成物は、最終布地柔軟仕上げ剤組成物が、最終布地柔軟仕上げ剤組成物に対して少なくとも１．０重量％、あるいは少なくとも１．１重量％、又は１．３重量％、又は１．５重量％、又は１．７重量％、又は１．９重量％、又は２重量％、又は２．１重量％、又は２．３重量％、又は２．５重量％、又は２．７重量％、又は３重量％、又は１．０重量％〜４．０重量％、又は１．５重量％〜３．５重量％、又はこれらの組合せを含むように、布地柔軟仕上げ剤活性物質を含む組成物と合わせられる。
【００２４】
芳香布地ケア組成物は、香料の両親媒性物質に対する重量比が、それぞれ、少なくとも３〜１、あるいは４：１、又は５：１、又は６：１、又は７：１、又は８：１、又は９：１、又は１０：１、あるいは１００：１以下である。
【００２５】
両親媒性物質と香料組成物との混合
本発明の１つの態様は、両親媒性物質／香料混合物を得るための両親媒性物質と純香料組成物との混合を提供する。１つの実施形態では、両親媒性物質と純香料組成物とをタンク内で混合する。別の実施形態では、両親媒性物質と純香料組成物とをインラインで混合する。この後者の実施形態は、作製されることが望まれる布地柔軟仕上げ剤の香りの多様性に応じて製造プロセス中に様々な香料を分配できるように、第１、第２、第３、第４、又は更なる純香料組成物は、異なる香料組成物タンク内に保持されるように、いわゆる「後期製品分化」の利点を提供する。「香りの多様性」の例としては、「ＡＰＲＩＬ  ＦＲＥＳＨ」又は「Ｃｌｅａｎ  Ｂｒｅｅｚｅ」又は「Ｍｏｕｎｔａｉｎ  Ｓｐｒｉｎｇ」等を挙げることができる。両親媒性物質を別々のタンク内で保持し、インラインで汲み上げて、同じくインラインで汲み上げられた適切な純香料組成物と混合し、両親媒性物質／香料混合物を得ることができる。後に、（同じく、好ましくはインラインで）布地柔軟仕上げ剤活性物質組成物に添加されるのは、この両親媒性物質／香料混合物である。更に別の実施形態では、両親媒性物質と純香料組成物とのインライン混合は、静的ミキサを用いた静的混合を含む。静的ミキサは、比較的低エネルギーであり、設備が安価であり、保守整備が容易であるので、製造の観点から望ましい。
【００２６】
あるいは、両親媒性物質／香料混合物は、供給元から得られる。１つの実施形態では、作製されることが望まれる布地柔軟仕上げ剤の香りの多様性に応じて製造プロセス中に様々な香料を分配できるように、第１、第２、第３、第４、又は更なる純両親媒性物質／香料混合物は異なる香料組成物タンク内に保持される。
【００２７】
両親媒性物質／香料混合物は、３０％〜９５％、あるいは６５％〜９５％の香料成分を含み得る。
【００２８】
両親媒性物質／香料混合物は、５％〜７０％、あるいは５％〜３５％の両親媒性物質を含む。
【００２９】
本発明の両親媒性物質は、布地柔軟仕上げ剤組成物中０．１％〜２．０％、あるいは０．１％〜０．５％であることが好ましい。
【００３０】
布地柔軟仕上げ剤組成物は、布地柔軟仕上げ剤組成物に対して１．０重量％〜２．５重量％、あるいは１．５重量％〜２．５重量％の遊離香料を含む。
【００３１】
添加剤成分
別の態様では、方法は、いわゆる「後期製品分化」の一部として組成物に添加剤成分を添加することを更に含む。添加剤成分としては、香料マイクロカプセル、分散剤、安定剤、ｐＨ調整剤、金属イオン制御剤、着色剤、増白剤、染料、臭気抑制剤、プロ香料、シクロデキストリン、溶剤、汚れ遊離ポリマー、防腐剤、抗菌剤、塩素スカベンジャー、酵素、収縮防止剤、布地糊付け剤、シリコーン（例えば、ＰＤＭＳ）、染み付き防止剤、酸化防止剤、腐食防止剤、整形剤、ドレープ及び形状制御剤、スムージング剤、静電気抑制剤、しわ制御剤、浄化剤、消毒剤、細菌抑制剤、カビ制御剤、白カビ制御剤、抗ウイルス剤、抗菌剤、乾燥剤、染み防止剤、汚れ遊離剤、悪臭抑制剤、布地リフレッシュ剤、塩素漂白臭気抑制剤、染料固定剤、移染防止剤、色保全剤、色回復／再生剤、色あせ防止剤、白色度増強剤、耐磨耗剤、耐摩耗剤、布地保全剤、抗磨耗剤、及びすすぎ補助剤、紫外線保護剤、太陽光劣化阻害剤、防虫剤、抗アレルギー剤、酵素、難燃剤、防水加工剤、布地調整剤、水コンディショニング剤、防縮剤、伸び防止剤、酵素、カチオン性デンプン、並びにこれらの組み合わせを挙げることができる。１つの実施形態では、組成物は、布地柔軟仕上げ剤組成物に対して約２重量％以下の１以上の添加剤成分を含む。更に別の実施形態では、本発明の布地柔軟仕上げ剤組成物は、任意の１以上の添加剤成分を含まなくてもよく、実質的に含まなくてもよい。更に別の実施形態では、布地柔軟仕上げ剤組成物は、洗濯洗剤用界面活性剤を含まないか、又は本質的に含まない。１つの実施形態では、布地柔軟仕上げ剤組成物のｐＨは、２〜６、好ましくは２〜５、より好ましくは２．５〜４であり得る。
【００３２】
本発明の「発明を実施するための形態」で引用したすべての文献は、関連部分において本明細書に援用するが、いずれの文献の引用もそうした文献が本発明に対する先行技術であることを容認するものとして解釈されるべきではない。
【００３３】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのようなすべての変更及び修正を添付の特許請求の範囲で扱うものとする。
【国際調査報告】
2013524035.tif 000007
2013524035.tif 000008